(57)【要約】      （修正有）【課題】角質が容易に削り取れる許かりでなく、削り作業を中断或いは終了すると同時に、自動的に剥離角質を排出し得ると共に、先端刃部によって誤って怪我する虞れのない衛生的で且つ安全性の高い角質除去具を提供する。【解決手段】先端部に刃部１２を備えた筒状擦り管本体と、この筒状擦り管本体に嵌挿配備される短尺な出没軸２とからなり、短尺な出没軸２は筒状擦り管本体の基端側へバネ３付勢され、常態において出没軸２の先細先端部２３ｂが上記刃部１２より外方へ突出していることを特徴とする。【選択図】図２
0003141939.tif 000002
【実用新案登録請求の範囲】
【請求項１】
先端部に刃部を備えた筒状擦り管本体と、この筒状擦り管本体に嵌挿配備される短尺な出没軸とからなり、短尺な出没軸は筒状擦り管本体の基端側へバネ付勢され、常態において出没軸の先細先端部が上記刃部より外方へ突出していることを特徴とする角質除去具。
【考案の詳細な説明】
【技術分野】
【０００１】  この考案は、手足の角質を除去し皮膚を清浄化するのに使用する器具であって、特には衛生的で安全性の高い角質除去具に関する。
【背景技術】
【０００２】  手や足の角質を除去する簡易な器具としては、図５で示すものが存在する。この器具は、ステンレス製の円筒状擦り管本体５１の先端部に、断面が略三角形状の先端刃部５１ａを周設している。【０００３】  使用に際しては、例えば踵の角質に対して先端刃部５１ａを直角状に配置し、この管姿勢を保持して円筒状擦り管本体５１を前後動させる。これにより、角質が剥離し、剥離した角質は円筒状擦り管本体５１の内部に堆積状に集積する。【０００４】  剥離した角質がある程度の量、溜まると、これを管外へ排出し廃棄する必要がある。従来は、図５で示すように円筒状擦り管本体５１の基端側から、管本体に対し押出し棒５１ｂを挿し込み、押出し棒先端面で堆積状に溜まった剥離角質を外部へ排出する。【０００５】  ところが、この構成のものでは、剥離角質の排出に際し、一方の手指で管本体を把持し、他方の手指で押出し棒を把持して挿し込まねばならず、角質排出作業が両手作業となり極めて煩わしい不利があった。【０００６】  そこで、近年は、図４に示すような角質除去具が提案されている。この角質除去具は、先端に刃部４１ａを備えた管本体４１と、この管本体４１内に嵌挿され、常時基端側へバネ４２付勢された押出し棒４３とから構成されている。【０００７】この構成のものでは、剥離した角質は、管本体の先端刃部側の管内空間４１ｂに溜まる。排出に際しては、押出し棒４３の臨出基端４３ａをバネ４２の付勢力に抗して押し込むだけで、押出し棒４３の先端部４３ｂが前進して堆積する剥離角質Ｙを外部へ排出する。
【特許文献１】実用新案登録第３１３４２４０号公報
【考案の開示】
【考案が解決しようとする課題】
【０００８】  上記角質除去具によれば、押出し棒の臨出基端をバネに抗して押し込むだけの操作で、擦り管本体内に堆積した剥離角質を排出し得る利点がある反面、剥離角質を溜り空間に堆積させる方式であるため、不衛生であるなどの欠点がある。【０００９】  また、この角質除去具では、先端刃部は常態において、内部が空洞の筒状で且つ露出状態にある。このため、皮膚面に対し誤った角度（例えば皮膚面に対し鋭角状態、水平に近い状態）で擦りつけると皮膚が損傷する危険性がある。【００１０】  特に、幼児や子供が、この器具をもって遊ぶ場合は、意に反して怪我するなど、極めて危険な道具となる虞れがある等の不利があった。【００１１】  この考案は、以上のような課題を解消させ、角質の削り作業を終えると同時に、自動的に剥離角質を排出し得ると共に、先端刃部によって誤って怪我する虞れのない衛生的で且つ安全性の高い角質除去具を提供することを目的とする。
【課題を解決するための手段】
【００１２】  この目的を達成させるために、この考案の角質除去具では、次のような構成としている。
角質除去具は、先端部に刃部を備えた筒状擦り管本体と、擦り管本体に嵌挿配備される短尺な出没軸とからなり、短尺な出没軸は擦り管本体の基端側へバネ付勢され、常態において出没軸の先細先端部が上記刃部より外方へ突出していることを特徴としている。
【考案の効果】
【００１３】  この考案では以上のように、擦り管本体に対し、短尺な出没軸を内嵌させ、且つ出没軸の先細先端が擦り管本体の先端刃部より外方へ突出するようにバネ付勢させることとしたから、皮膚面に対し先端刃部をほぼ直角状にあてがい押し付けることで、出没軸の先細先端が管本体内に没入し、刃部との間に一周状の空隙（空溝）ができ、容易に角質を削り取り得る。【００１４】  一方、常態においては、先端刃部より出没軸先端が前方へバネ突出しているため、先端刃部が皮膚面にあたる前に、出没軸先端が当接して皮膚面を保護する。殊に、擦り管本体を皮膚面に対し略水平状に傾斜させた角度で押し当てた場合は、出没軸が管本体内へ没入し難い。従って、先端刃部によって、意に反して皮膚面を切るなどの事故を未然に防止し得る。【００１５】  更に、削り作業を終えた瞬間或いは中断した瞬間、つまり先端刃部を皮膚面から浮かした瞬間、出没軸はバネの付勢力で突出すると同時に、出没軸の先細先端の回りに堆積した削り角質を自動的に外部へ排出する。従って、極めて安全且つ衛生的な角質除去具を提供し得る等の考案目的を達成した優れた効果を有する。
【考案を実施するための最良の形態】
【００１６】  以下、図面に基づき本考案に係る角質除去具の具体的な実施の形態を説明する。
図１は、角質除去具を示す斜視図である。
角質除去具は、擦り管本体１と、この擦り管本体１に内装状に配備される短尺な出没軸２と、この出没軸２を管本体１の先端部方向へ付勢するバネ手段３とから構成される。【００１７】  擦り管本体１は、直径が４乃至５ミリ程度の細径の金属管、例えばステンレス製中空円筒体１１で、快削性を与えた１８クロムステンレスなどが使用される。この中空円筒体１１の先端縁は、削り加工を施して断面が略三角形状の先端刃部１２が周設してあり、開口基端にはプラスチック製キャップ体１４が脱着可能に嵌着してある。【００１８】  更に、この中空円筒体１１の先端部側には、後述する付勢バネ３の基端を固定するストッパ１３、１３を配備している。ストッパ１３、１３は、実施の形態では中空円筒体１１の外表面を内向きに凹ませて、対向するストッパ（凹み部）１３、１３間の内径を小さく設定している。【００１９】  また、ストッパ１３はこの内向きの対向状突子（凹み部）に変えて、中空円筒体１１の外表面を一周する凹み条（内向きの突条）１３であっても良く、要は付勢バネ３の一端を支承固定できればよい。【００２０】  前記出没軸２は、プラスチック製の円柱状棒体で、図２で示すように、前記擦り管本体１長さより略半分以下の長さの短尺に設定してある。この出没軸２は、円板状のストップ板２１と、ストップ板２１に連続する細径の円柱軸部２２と、軸部２２の先端部に嵌着配備する短尺な円柱状突出体２３とから構成される。【００２１】  この円柱状突出体２３は、中空円筒体１１の内径に対応して摺動する径に設定してある。円柱状突出体２３の基端面内には、上記軸部２２の先端が嵌着する凹部（嵌着穴）２３ａを設けると共に、上記刃部１２より外方へ臨出する先端面内には、前方へ突出する小径な半球状突子（つまり、出没軸２の先細先端を構成する、所謂ロケット頂部形態物）２３ｂを突設している。【００２２】  上記付勢バネ３は、実施の形態では、バネ（圧縮コイルバネ）３が使用されている。この圧縮コイルバネ３は弾機の安定性を図って、両端をほぼ平にしたクローズドエンドが使用されているが、実施に際してはオープンエンドであってもかまわない。【００２３】  この圧縮バネ３の一端（基端）３１は、前記ストッパ（内向き突子）１３、１３に当接して支承固定され、他端（先端）３２は上記円柱状突出体２３の基端面に当接して支承固定されている。【００２４】  この付勢バネ３の弾機により、ストップ板２１がストッパ１３，１３の後端に位置した状態で、出没軸２の円柱状突出体２３の先端部および半球状突子部２３ｂを常時、刃部１２より前方へ臨出する状態を保持する。【００２５】  このような構成を有する角質除去具では、図１及び図２で示すように、常態において、出没軸２の先細先端（つまり、円柱状突出体２３の先端部並びに半球状突子２３ｂ）は、中空円筒体１１の刃部１２より外方へ臨出している。【００２６】  従って、皮膚面Ｘに対して、常に突子２３ｂが刃部１２より先に当接して皮膚面を保護する。殊に、子供などがこの器具を倒した状態で把持して（水平方向に近づけた状態でもって）遊ぶ場合は、円柱状突出体（突子２３ｂ）２３が管本体１内へ殆ど没入し難く、且つ刃部１２がむき出しとなる虞れが少ないため、安全性を向���し得る。【００２７】  一方、図３の拡大図で示すように、皮膚面Ｘに対し中空円筒体１１の刃部１２を直角状に押し当てるときは、半球状突子（出没軸２）２３ｂの先端が、刃部１２先端と面一状となる位置まで容易に没入する。【００２８】  かくして、突子２３ｂと中空円筒体１１先端内部、つまり刃部１２との間に、一周状の隙間（凹溝）２３ｃが発生する。この状態で、管本体（中空円筒体１１）１を動かすことで、削り取られた剥離角質がこの一周状凹溝２３ｃに位置する。【００２９】  そして、管本体（刃部１２）１を皮膚面Ｘから離すと同時に、出没軸（円柱状突出体２３）２の先端が、刃部１２より前方へバネ３復帰する。これにより、何らの操作の必要もなく、瞬時に且つ自動的に円柱状突出体（出没軸の先細先端）２３が剥離角質Ｙを排出する。
【図面の簡単な説明】
【００３０】
【図１】  実施の形態の角質除去具を示す斜視図である。
【図２】  実施の形態の角質除去具を示す断面図である。
【図３】  実施の形態の角質除去具の角質取り状況を示す拡大断面図である。
【図４】  従来の一般的な角質除去具を示す斜視図である。
【図５】  近年提案された角質除去具を示す断面図である。
【符号の説明】
【００３１】１      擦り管本体
２      出没軸
３      圧縮バネ
１１    中空円筒体
１２    先端刃部
１３    ストッパ（内向き突子）
１４    キャップ
２１    ストップ板
２２    軸部
２３    円柱状突出体
２３ａ  凹部
２３ｂ  半球状突子
２３Ｃ  凹溝
Ｘ      皮膚表面
Ｙ      剥離角質
【図１】
0003141939.tif 000003
【図２】
0003141939.tif 000004
【図３】
0003141939.tif 000005
【図４】
0003141939.tif 000006
【図５】
0003141939.tif 000007